(57)【要約】【課題】部品を別途に形成するコストと、これらを結合させる工程コストとを低減できるプラスチックシャーシ及びこれを有するプラズマ表示装置を提供する。【解決手段】シャーシベースと、シャーシベースに取り付けられる支持フレームとが、シームレスに一体に形成されることを特徴とするプラスチックシャーシと、このようなプラスチックシャーシを採用してなるプラズマ表示装置が開示される。この時、シャーシベースと支持フレームとの構成を考慮して、支持フレームとシャーシベースとの離隔して形成された部分を連結するボスに代わる支持体が形成されることが望ましく、このような支持体を一部加工を通じて壁掛け用ボスに利用する場合も考えられる。本発明によれば、シャーシの部品数を減らし、これらを結合する工数を減らして、シャーシ及びプラズマ表示装置の製造コストを節減することができる。【選択図】図３
2006337982.tif 000002
【特許請求の範囲】
【請求項１】
シャーシベースと、前記シャーシベースの後方に少なくとも一部分が前記シャーシベースから離隔して形成される支持フレームとが、シームレスに一体に形成されることを特徴とするプラズマ表示装置のプラスチックシャーシ。
【請求項２】
離隔された前記一部分で、前記シャーシベースと前記支持フレームとを連結する支持体が形成されることを特徴とする請求項１に記載のプラズマ表示装置のプラスチックシャーシ。
【請求項３】
前記支持フレームは、 前記シャーシベースに、射出により一体に形成されることを特徴とする請求項１に記載のプラズマ表示装置のプラスチックシャーシ。
【請求項４】
前記シャーシベースには、射出の時、ボスが一緒に形成されることを特徴とする請求項３に記載のプラズマ表示装置のプラスチックシャーシ。
【請求項５】
前記ボスは、金属からなり、
前記シャーシベースは、プラスチックプレートと、該プラスチックプレート内に設けられて前記ボスと電気的に接続される金属メッシュ又は金属板と、を有していることを特徴とする請求項３または４に記載のプラズマ表示装置のプラスチックシャーシ。
【請求項６】
前記シャーシベース及び前記支持フレームは、モールディング方法で一体に形成されることを特徴とする請求項１に記載のプラズマ表示装置のプラスチックシャーシ。
【請求項７】
前記支持フレームには、ガイドスタンドホールが形成されることを特徴とする請求項１に記載のプラズマ表示装置のプラスチックシャーシ。
【請求項８】
前記支持体は、壁掛け用ボスとして機能できるようになされることを特徴とする請求項２に記載のプラズマ表示装置のプラスチックシャーシ。
【請求項９】
周辺部がシールされた２つの基板の間に、隔壁と画像表示のための電極とが形成され、放電ガスが封入されてなるパネルと、
前記パネルの後方に設けられるシャーシと、
前記パネルの各電極に画像信号を印加するために形成される回路部とを備えてなるプラズマ表示装置において、
前記シャーシが、請求項１から８のいずれか一項に記載のプラスチックシャーシであることを特徴とするプラズマ表示装置。
【発明の詳細な説明】
【技術分野】
【０００１】
本発明は、プラズマ表示装置に関し、より詳細には、プラスチックシャーシベースを適用したプラズマ表示装置に関する。
【背景技術】
【０００２】
プラズマ表示装置とは、対向する２つの基板にそれぞれ電極を形成し、一定の間隔を隔てて重ね合い、内部に放電ガスを注入した後、封止して形成するプラズマディスプレイパネル (Plasma Display Panel: ＰＤＰ、以下、パネルと混用する) を用いた平板状表示装置のことである。
【０００３】
プラズマ表示装置は、多くの容積を占めるブラウン管 (ＣＲＴ: Cathode Ray Tube) 表示装置に比べて薄く形成できるので、比較的少ない容積で軽い大型画面を具現するのに好適である。また、プラズマ表示装置は、ＬＣＤのような他の平板状表示装置に比べて、トランジスタのような能動素子を形成する必要がなく、視野角が広く、輝度が高いという一般的な特性を有する。
【０００４】
プラズマ表示装置は、プラズマディスプレイパネルを形成した後、パネルの各電極に連結される駆動回路など、画面の具現に必要な要素を設けてなる。パネルは、通常、２つのガラス基板に各導線パターンと隔壁などを形成し、隔壁によって離隔された状態を成すように、２つの基板を重ね合わせて周辺を封止することによりなされ、その裏面に直接回路要素を設けることは難しい。したがって、パネルの裏側には、回路基板を設置できるように、かつ、破損しやすいパネルを保護、支持できるように、シャーシあるいはフレームが使用される。
【０００５】
シャーシは、シャーシベースと呼ばれるプレートに様々な形態の補強材を取り付けて形成する。シャーシベースの周辺部には、一定の強度を確保するために、後方に一度折り曲げたり、後方に折り曲げた後、再び反対側に折り曲げて、段付き状の補強部を設けたりすることができる。または、強度の確保のために、別途の補強材を、リベットやねじ、溶接などの方法で、シャーシベースの所要の部分に設けることができる。
【０００６】
通常、シャーシベースは、強度を確保するために、鉄材やアルミニウムで形成し、シャーシベースが、プラズマ表示装置において、ヒートシンクと接地ベースとの役割を果たすようになる。
【０００７】
プラズマ表示装置の大型化が進むことに伴い、シャーシに使われる金属シャーシベースの重みも増加することになり、その形成コストも高くなるようになる。プラズマ表示装置の市場性確保のための品質向上の課題として、低電力、高画質、軽量薄型化を達成し続けるために、シャーシもより薄くて、軽くなることが望まれている。しかしながら、パネル及び保護回路基板の設置のためのフレームの役割などの必要な機能遂行のために、シャーシベースを成す金属板を薄く形成することには限界がある。
【０００８】
一方、プラズマ表示装置の製造コストを下げるために、同一の機能を果たせるより安価な部品素材の開発が求められている。シャーシにおいても、従来の大型化による金属シャーシベースの問題と新たな要請とに対応するために、シャーシをプラスチックで形成する方法が工夫されている。
【０００９】
プラスチックシャーシに関連して、プラズマ表示装置のシャーシをプラスチックとするために、従来の金属シャーシベースを射出物形態のプラスチックプレートに切り替えて、このプレートに回路基板の設置のためのボスを一緒に設けるなどの構成が考慮された。このような構成において、シャーシベースには、従来のようなボスが設けられ、ボスに回路基板が形成される。このような点から、プラスチックシャーシは、単に既存の金属板をプラスチックプレートに切り替えることにより製造される。
【００１０】
図１及び図２は、従来のシャーシベースに支持フレームが設けられた態様を示す概略側面図及び斜視図である。
【００１１】
従来、シャーシベース１９の構造は、パネルの四隅部分を利用して支持する耳形 (ear type) だったが、近来には、図１及び図２のように、シャーシベース１９にボス (wall mount boss) ２１を形成し、ボス２１に支持フレーム２５をネジ締結する構造が益々増えつつある。このような構造では、たとえば、図示されているように、シャーシベース１９にボス２１を圧入して形成し、ボスの周辺には、補強材 (bracket) ２３の構造をトックス (tox) などの方式でシャーシベース１９に締結してある。補強材は、ボス２１によって貫通され、ボス２１の側壁の一部に当接して取り囲み、シャーシベースに当接する面にはフランジ部分が形成され、シャーシベース１９との結合を容易にする。この時、トックスは、比較的薄い２つの板材の面を重ね合わせた後、板面の一方から圧力を加えて２つの板材に同じ方向の溝を形成することにより、接触面から見て、各板材に突起と溝とを形成して結合させたものと同様な効果を有する結合方式である。
【００１２】
このように、一端がシャーシベース１９に結合されたボスは、他端部で支持フレーム２５とネジ（図示せず）で締結される。支持フレーム２５は、様々な形態に形成され得、基本回路構成を有したプラズマ表示モジュール内で中間カバーの役割を果たす。支持フレーム２５の裏側には画面調節回路又は作動回路が設けられることができ、更にその後方には、プラズマ表示装置のセットの後面ケースが設けられる。支持フレームには、下方にガイドスタンドホール (guide stand hole) ２７が形成され、プラズマ表示装置を立てた状態で保持できるスタンド３０の上端が挿入、結合されることができる。
【００１３】
従来の金属シャーシベース構造において、このような構成を有したシャーシ及び支持フレームを形成するためには、シャーシベース１９、ボス２１、補強材（ブラケット）２３、支持フレーム２５をそれぞれ形成し、まず、シャーシベースとボスとを圧入などの方式で結合させ、補強材をシャーシ及びボスと結合させ、また、支持フレームをボス及びネジで締結させる手順を経ることになる。
【００１４】
したがって、これらのそれぞれの部品を別々に形成しなければならなく、これらのそれぞれを相互に結合させる工程を経なければならないので、部品コストと工程コストとが高くなる要因になる。
【発明の開示】
【発明が解決しようとする課題】
【００１５】
本発明は、支持フレームが結合される金属シャーシベースの短所を解消するためのもので、部品を別々に形成するコストと、これらを結合させる工程コストとを低減できるプラスチックシャーシ及びこれを有するプラズマ表示装置を提供することを目的とする。
【００１６】
本発明は、一体形成により製作コストを低減すると共に、多数の部品を結合させることから起因する不良も低減できるプラスチックシャーシ及びこれを有するプラズマ表示装置を提供することを目的とする。
【課題を解決するための手段】
【００１７】
このような目的を達成するための本発明のプラスチックシャーシは、シャーシベースと、シャーシベースに取り付けられる支持フレームとが、シームレスに一体に形成されることを特徴とし、本発明のプラズマ表示装置は、シャーシベースと支持フレームとが一体に形成されたプラスチックシャーシを採用してなることを特徴とする。
【００１８】
本発明において、シャシーベースを支持フレームに接続する支持体を支持フレームの一部に形成し、これを壁掛け用ボスとして利用することもできる。
【００１９】
一方、シャーシベースと一体に形成された支持フレームは、通常、シャーシベースに連結されたプラズマ表示装置のモジュールを外部ケースに結合させ、製造された回路を設けるベースとして利用でき、従来のようにスタンドの垂直ピラーが挿入されるガイドスタンドホール (guide stand hole) もまた形成でき、プラズマ表示装置をスタンド（直立）型に設けるのに利用できる。
【発明の効果】
【００２０】
本発明によれば、支持フレームが結合される金属シャーシベースの短所を解消して、支持フレーム、シャーシベース、それらの結合のための補強材、ネジ、ボスなどを、別々の部品ではなく、一体に形成することができる。したがって、部品を別々に形成するコストと、これらを結合させる工程コストとを低減することができる。
【００２１】
また、本発明は、一体形成により製作コストを低減すると共に、多数の部品を結合させることから起因する不良も低減できるようにする。
【発明を実施するための最良の形態】
【００２２】
以下、図面を参照しながら、実施の形態に基づいて本発明をより詳細に説明する事にする。
【００２３】
図３及び図４は、本発明のプラスチックシャーシの一実施の形態を示す側断面図及び斜視図である。
【００２４】
シャーシベース１１９を成すプレートに支持フレーム１２５を成す広い帯状の２つの中間カバーのそれぞれの両端がシャーシベースの上下辺に連結されている。これらは、一体に形成されるので、別の結合手段はない。
【００２５】
ここで、従来には別々に形成されて、部品間の結合を補助していたボスやネジは、もはや存在しなくなる。但し、ボスの支持の役割を、シャーシベース１１９の部分と支持フレーム１２５の部分との間にある、同様に一体に形成された支持体である支持体１２１が果たすようになる。
【００２６】
ボスを補助的に支持していた補強材 (bracket) も形成する必要がなくなり、補強材をシャーシベースに結合させる工程も不要となる。従来にあったガイドスタンドホール１２７も、支持フレーム１２５の下部（プラズマ表示装置の正常な画面設置時を基準として表示装置の下側部分）に形成することができる。
【００２７】
このような構成のシャーシベース１１９及び支持フレーム１２５の一体型シャーシは、単純プレートに比べて多少複雑な構造を有する。したがって、これを形成するために、多少の複雑でかつ相互に分割可能な鋳物型や、射出成形方法が要請されることができる。
【００２８】
注入式あるいはモールディング (ｍolding) 方式で本発明のプラスチックシャーシを形成するための鋳物型を、製造されるシャーシの構成に応じて少なくとも２つの部分に分割してもよい。
【００２９】
また、支持フレームや支持体１２１は、シャーシベースを成すプレート部分に連結され、一度に射出成形されることができる。構造的により安定した形態を成すために、図示していないが、追加的なリブ (rib) などの補強構造が更に形成され得る。この時、シャーシベースは、射出時にボスが一緒に形成され得る。ボスは金属からなる。シャーシベースは、プラスチックプレートと、該プラスチックプレート内に設けられて前記ボスと電気的に接続される金属メッシュ又は金属板と、を有している。
【００３０】
このような程度の複雑性を有した射出成形方法は、当該分野の通常の技術を有する者にとっては、充分に理解できる程度のものであるので、具体的な記述は省略する。
【００３１】
一方、図示していないが、保護回路基板を設けるためのボスらが、シャーシの射出成形過程で、シャーシベースの部分に一緒に結合された状態で形成されることができる。
【００３２】
図５は、本発明のプラスチックシャーシ構造を利用して形成したプラズマ表示装置の一実施の形態を示す一部分解斜視図である。
【００３３】
図５を参照すれば、本発明に係るプラズマ表示装置は、前面ケース２、後面ケース１４、パネル４、熱伝導シート６、接着部材８、プラスチックシャーシ１０、印刷回路基板及び接地プレートを備える。
【００３４】
前面ケース２は、後面ケース１４と締結されて、内部のパネル４、熱伝導シート６、印刷回路基板及びプラスチックシャーシ１０を、外部の汚染物質及び各種の衝撃から保護し、ＰＤＰの駆動時に発生される騷音と振動が使用者に伝達されることを防止する。この前面ケース２は、パネル４からの光が外部に放出できるように投光部が形成され、この投光部には、フィルター組立体(図示せず)を更に備えることができる。ここで、フィルター組立体は、視認性の低下を防止するための反射フィルム、駆動中に発生する電磁波を遮断するための電磁波遮蔽層、及び不要な光を吸収するための遮断フィルターなどが含まれる。
【００３５】
後面ケース１４は、前面ケース２と締結されて、内部の構成物を外部の汚染物質及び衝撃から保護する。また、後面ケース１４には、内部の熱を外部に放出するための放出口が多数形成される。
【００３６】
パネル４は、多数のスキャン電極及びサステイン電極が形成された上部基板と、上部基板の電極と交差する方向に形成された多数のアドレス電極と、上部基板との間に形成された蛍光体層を含む下部基板とから構成される。また、上部基板と下部基板との間には、電極の交差部に放電セルを区切るための隔壁が形成される。併せて、上部基板と下部基板との間には、Ne、Xe、He、Ar のような不活性ガスやこれらを１種以上混合した混合ガスが充電される。このパネル４は、スキャン電極とサステイン電極との間の放電により発生する紫外線によって蛍光体を励起させることにより可視光線を発生し、可視光線の発生率を調節して所定の画像を表示することになる。その他にも、上部基板には、上部誘電体層及び保護膜が、下部基板には、下部誘電体層が更に形成される。
【００３７】
熱伝導シート (Thermal Spreader Sheet : ＴＳＳ) ６は、パネル４とプラスチックシャーシ１０との間に挿入され、プラズマディスプレイ装置の駆動時にパネル４で発生する熱を面方向に一様に伝達すると共に、放熱してパネル４の温度が急激に上昇することを防止する。熱伝導シートは、不均一なパネル４の温度分布を一様にして、パネル４の局所的な温度差による破損及び誤動作を予防する。このために、熱伝導シート６は、パネル４とシャーシベース１０との間に挿入される。
【００３８】
接着部材８は、熱伝導シート６をプラスチックシャーシ１０に固定する。このために、接着部材８は、図5でのように、熱伝導シート６の縁部分に帯状、または、額縁型の形状に形成され、熱伝導シート６をプラスチックシャーシベース９に固定させることになる。ここで、接着部材８は、パネル４の後方基板の背面に帯状、または、 額縁型の形状に接着され、パネル４とプラスチックシャーシ１０とを固定することもできる。このような接着部材８としては、接着剤、接着シート及び接着テープが利用される。また、接着部材８の貼り付けの際に、各接着部材８は、所定の距離を置いて貼り付けられる。これは、熱伝導シート６への空気流通を可能にして、パネル４から熱伝導シート６に伝達された熱が放熱され得るようにするためである。
【００３９】
プラスチックシャーシ１０は、パネル４や熱伝導シート６を接着部材８によって固定すると共に、パネル４、テープキャリアパッケージ及び印刷回路基板からの熱が一部放熱されるようにする。このようなプラスチックシャーシ１０は、ボス、スクリューのような締結手段によって印刷回路基板を支持及び固定するようになる。プラスチックシャーシ１０は、金属材質のシャーシベースに比べて熱伝導度が低いため、熱伝導シート６の放熱のために熱伝導シート６と所定の間隔を隔てて組み立てられる。また、プラスチックシャーシ１０には、各駆動部の接地電源を連結するための接地プレートが固定され得る。
【００４０】
印刷回路基板は、ＰＤＰを駆動するためのシステム回路部が形成される。このシステム回路部には、電源供給のための電源供給部と、パネル４の電極に駆動信号を供給するためのアドレス駆動部と、スキャン駆動部と、サステイン駆動部とが形成される。この印刷回路基板は、電源供給部が形成される電源供給部基板と、スキャン駆動部が形成されるスキャン駆動部基板と、サステイン駆動部が形成されるサステイン駆動部基板と、アドレス駆動部の一部及びタイミングコントローラーのような制御回路が形成されるロジック基板とからなる。また、パネル４とロジック基板及びスキャン駆動部基板との間には、駆動バッファーボードが設けられ、ロジック基板及びスキャン駆動部からの駆動信号は、この駆動バッファーボードを経由してパネル４に提供される。しかも、アドレス駆動部、スキャン駆動部及びサステイン駆動部は、図示していないフレキシブル・プリントテッド・ケーブル(または、フレキシブル・プリント回路、Flexible Printed Cable : FPC)や駆動チップが実装されたキャリア・パッケージ (Tape Carrier Package : ＴＣＰ) によって電極と連結される。
【００４１】
そして、印刷回路基板１０の各駆動部、すなわち、アドレス駆動部、スキャン駆動部、及びサステイン駆動部は、別々の電源供給モジュール (ＩＰＭ: Intelligent Power Module) を備える。この電源供給モジュールは、電源供給部から供給される電源を、各駆動部の制御によってそれぞれの電極に供給できる信号電圧に変換する。すなわち、アドレス駆動部に実装される電源供給モジュールは、アドレス駆動部及びタイミングコントローラーの制御によってアドレス電極に供給するアドレス信号を生成する。このような電源供給モジュールと電源供給部とには、ＰＤＰ駆動時の放熱のための放熱板(図示せず)が多数備えられ得る。また、接地プレート(図示せず)が形成され、駆動部に接地ベースを提供するための導電経路が設けられ得る。
【００４２】
但し、本発明では、従来に通常的に構成されるモジュールに比べて、シャーシベースと一体に形成された支持フレームが駆動回路基板の設置前に追加されていることを考慮しなければならない。このような支持フレームは、シャーシをパネル及び駆動回路基板と結合させる際に、特に、駆動回路基板と結合させる過程で工程を難しくする役割を果たせるので、設計時から駆動回路基板と支持フレームとの相対的位置が衝突しないように配置しなければならないであろう。
【図面の簡単な説明】
【００４３】
【図１】従来のシャーシベースに支持フレームが設けられた態様を示す概略側面図である。
【図２】従来のシャーシベースに支持フレームが設けられた態様を示す斜視図である。
【図３】本発明のプラスチックシャーシの一実施の形態を示す側断面図である。
【図４】本発明のプラスチックシャーシの一実施の形態を示す斜視図である。
【図５】本発明のプラスチックシャーシの構造を利用して形成したプラズマ表示装置の一実施の形態を示す一部分解斜視図である。
【符号の説明】
【００４４】
１９，１１９  シャーシベース
２１  ボス
２３  補強材
２５、１２５  支持フレーム
２７、１２７  ガイドスタンドホール
３０  スタンド
１００  シャーシ
１２１  支持体
【図１】
2006337982.tif 000003
【図２】
2006337982.tif 000004
【図３】
2006337982.tif 000005
【図４】
2006337982.tif 000006
【図５】
2006337982.tif 000007